(57)【要約】      （修正有）【課題】ダンスシューズの底面を、毛羽立てたバックスキンの形態を維持した状態としておくブラッシングの際、ブラシに対する掻き落とされる皮の繊維屑のからみ付きと集積を抑えながら、圧縮されて固化してきた皮の表層組織のときほぐしが効率的に行え、しかも、起毛鉤片に生ずる変形が抑えられ、ときほぐしの機能を長く維持するようになるダンスシューズの手入れ用ブラシを提供する。【解決手段】基体１に、整列させて穿設した穴４に、切り揃えた多数本の細径の鋼線よりなるワイヤーを、小束に束ねて２つ折りに折り曲げ、棒状に集束して、屈曲部側の穴４に対する圧入嵌合により植設し、これら棒状に集束したワイヤーの突出長さを、略１０ミリ〜１５ミリ程度に短く切り詰め、それらワイヤーの先端を棒状に束ねた束ごとに平面に揃えて研磨した。【選択図】図８
0003140065.tif 000002
【実用新案登録請求の範囲】
【請求項１】
把持部（１０）を設けた基体（１）に、小径の穴（４）…を整列させて穿設し、それらの穴（４）に、短く切り揃えた多数本の細径の鋼線よりなるワイヤー（２）を、１０数本の小束に束ねて２つ折りに折り曲げ、倍量の本数の棒状に集束して、屈曲部（２ａ）側の穴（４）に対する圧入嵌合により植設し、これら棒状に集束したワイヤー（２）の基体（１）からの突出長さを、略１０ミリ〜１５ミリ程度に短く切り詰め、それらワイヤー（２）の先端を棒状に束ねた束ごとに平面に揃えて研磨したことを特徴とするダンスシューズの底面手入れ用のブラシ。
【請求項２】
基体（１）に、棒状に束ねて、植設したワイヤーの先端側を、整列する各束の上面が、側面視において、略同一の面に揃うように研磨したことを特徴とする請求項１記載のダンスシューズの底面手入れ用のブラシ。
【考案の詳細な説明】
【技術分野】
【０００１】
本考案は、社交ダンスを踊るときに、履いているダンスシューズが、フロアに良くフィットするように、ダンスシューズの底面を手入れしておくために用いるダンスシューズ手入れ用のブラシに関するものである。
【背景技術】
【０００２】
ダンスシューズは、それの底面を成形する底皮に、表層部の繊維組織を毛羽立てて、孔隙を多く含む柔軟な構造としたバックスキンまたはヌバックと呼ばれる皮を使用している。
【０００３】
この表層部を毛羽立てた構造の皮で底面を形成したダンスシューズは、それを履いて、社交ダンスを踊るときに、底面がフロアによくフィットすることで、ステップに乱れや滑りを生ぜしめず、きれいな姿勢を保持せしめるようになるからである。
【０００４】
このフロアの床面によくフィットするようにするために、底皮の表層部を毛羽立てた構造にしているダンスシューズは、その毛羽立てた底皮の表層部が、社交ダンスを踊るときのステップの際のフロアの床面に対する踏圧および打ちつけで、押し潰されることで、次第に堅く圧縮され、毛羽立てて膨軟な状態とした皮の繊維組織が、緊密に締まり、かつ、皮の組織の油脂分により固まって平滑な板状の状態のものとなってくる。
【０００５】
このように、堅く固化してくると、スケートのそり板のようになってフロアの床面に接したときに滑り易くなる。
【０００６】
このことから、ダンスシューズは、使用中に、毛羽立てた底面が圧縮されて緊密に固まった状態となって、フロアの床面とのフィットをよくする機能を失ってくるのを防ぐため、押し潰されて固まってくる底面を、旧の毛羽立てた状態に戻してやる手入れが必要であり、この手入れは、鋼線を鉤状に屈曲させた起毛鉤片を多数本剣山状に植設したブラシを用い、これのブラッシングにより、ダンスシューズの底面を引き掻き、押し潰されて固くなっている皮の繊維組織を掘り起こすようにほぐすことで行っている。
【０００７】
このように用いる手入れ用のブラシは、通常、図１にあるよう、外径が０．５〜０．６ミリ程度の鋼線から形成したくの字形に屈曲する５ミリ程度の長さの起毛鉤片ａを、それの屈曲方向を揃えて、布地状の基材ｂに多数本剣山状に植設し、この基材ｂを把持杆ｃの先端側に取り付けることで構成している。
【０００８】
このブラシは、多数本の起毛鉤片ａが、それの屈曲方向を把持杆ｃの手元側に向かうように整列させて基材ｂに植設してあり、ダンスシューズの底面に当てて手前に引くことで、その底面を引き掻くようになるが、当てたブラシを横方向に動かしたときに、起毛鉤片ａが横に倒れて変形し、機能を損なうようになることと、靴底を引き掻いたときに、生じてくる皮の繊維屑がからみついて集積してくることで、じきに、剣山状の全面が綿棒状になって、引き掻く機能を失うようになる問題がある。
【０００９】
起毛鉤片ａが横に倒れ易いのは、起毛鉤片ａを図２にあるように、２本の鉤片ａが、ホッチキスの針のようにゲイト状に連続する形状に形成し、これを、布地状の基材ｂの裏面側から表面側に向けて打ち込むことで植設していることから、横方向の負荷を受けると、柔らかい基材ｂと共に横倒れするようになることによる。また、繊維屑が集積し易いのは、起毛鉤片ａの突出長さが短く、かつ、起毛鉤片ａが密に植設されていることによる。
【００１０】
このことから、ダンスシューズの底面の手入れに、機械類の表面の錆落としや、塗装の剥離に使用されているワイヤーブラシを用い、それに植設したワイヤーを起毛鉤片として、手入れを行っている人もいる。
【００１１】
このワイヤーブラシは、図３にあるように、木材等からなる細巾の板状に形成した基体１の長手方向の一半側に、多数本のワイヤー２を植設した形態のものであり、そのワイヤー２は、０．１〜０．２ミリ程度の細径の鋼線よりなるワイヤーを５０ミリ程度の長さに切り揃えて、多数本のワイヤーとし、これを１０数本ずつの束にまとめて、結縛金具５により束ね、その束を２つ折りに屈曲させ、それにより形成される屈曲部２ａを、予め基体１の一半側の表裏の一方の面に図４にあるように穿設しておく穴４内に、挿し込み、強く圧入していくことで、このワイヤー２の束の屈曲部２ａを、穴４の内周壁にかしめ付けて固着し、これにより、ワイヤー２の束が２つ折りに屈曲されることで倍量の本数のワイヤーの束となって、屈曲部２ａを基端として穴４に植設された状態とし、ワイヤーブラシを構成するようにしているものである
【００１２】
このワイヤーブラシは、起毛鉤片とするワイヤー２の、基体１の表面からの突出長さが、２０〜２５ミリ程度と長く、かつ、１０数本ずつが束にまとめられ、その束が、１０ミリ弱の間隔をおいて植設されていることで、繊維屑のからみ付きが抑えられる筈であるが、実際には、じきに皮革の繊維屑がからみついて集積し、全体が綿棒状になってくる。しかも、じきに、個々のワイヤーがくの字形に屈曲変形して、そのくの字形に変形屈曲した屈曲部分が靴の底面に当たるようになって、皮の表層部に刺さり込んで靴の底面を掘り起こす機能がなくなったものとなってしまう問題がある。
【００１３】
これは、切り揃えたワイヤーを束ね２つ折りに折り曲げ屈曲させたときに、図５及び図６に示しているように、その折り曲げの内側に位置するワイヤーの屈曲部２ａが、外側に位置するワイヤー２の屈曲部２ａの上に順次重合していくようになって、各ワイヤーの突出長さが、それぞれ異なることにより、個々ばらばらに靴底に接触していくようになることと、０．１〜０．２ミリ程度の細い鋼線であることから、個々に接触するワイヤー２が簡単に屈曲変形していくことによる。
【考案の開示】
【考案が解決しようとする課題】
【００１４】
本考案において解決しようとする課題は、ダンスシューズを、フロアの床面に対しよくフィットする状態とするため、ダンスシューズの底面を、毛羽立てたバックスキンの形態を維持した状態としておくようブラッシングする際、掻き落とされる皮の繊維屑のからみ付きと集積を抑えながら、ダンスを踊るときのステップの踏圧により、圧縮されて固化してきた皮の表層組織のときほぐしが効率的に行え、しかも、皮の表層組織をときほぐすよう植設した起毛鉤片に生ずる変形が抑えられ、ときほぐしの機能を長く維持するようになるダンスシューズの手入れ用ブラシを構成することにある。
【課題を解決するための手段】
【００１５】
本考案は、上述の課題を解決するための手段として、起毛鉤片には、ワイヤーブラシに用いられる細径のワイヤーを使用するが、その細径のワイヤーは、把持部１０を設けた基体１に整列させて穿設した小径の穴４…に、短く切り揃えて１０数本の小束に束ねて２つ折りに折り曲げ、倍量の本数の棒状に集束して、２つ折りに屈曲させた屈曲部２ａ側の穴４に対する圧入嵌合により植設したときに、これら棒状に集束したワイヤー２の基体１からの突出長さを、略１０ミリ〜１５ミリ程度に短く切り詰め、かつ、棒状に集束したワイヤー２の先端を棒状の束ごとに平らに揃えて平面状に研磨したことを特徴とするダンスシューズの底面手入れ用のブラシを提起するものである。
【考案の効果】
【００１６】
本考案によるダンスシューズの底面手入れ用のブラシは、ブラッシングの際に、シューズの底面に当接するのが、外径０．１〜０．２ミリ程度の細径の鋼線よりなるワイヤー２の先端であることから、シューズ底面の圧縮固化した皮の表層組織に刺さり込んで掻き起こすようになる。そして、この細径のワイヤー２が数十本の束の棒状にまとめられ、かつ、この棒状の束の突出長さを短くしていることにより、棒状の束により補強される剛性が強く、強い圧力で作用していくようになって、皮の表層組織のときほぐしを良好にする。
【００１７】
しかも、棒状の束にまとめられたワイヤー２の先端は、棒状の束ごとに平面に揃え、かつ、平らに研磨してあることで、各ワイヤーが棒状にまとめられた状態で作用することで、変形が効果的に抑えられ、また、棒状にまとめたワイヤー２が、略１０ミリ程度の間隔ピッチで植設してあることで、繊維屑のからみ付きが少なく、からみ付きが生じても取り除きが容易なので、繊維屑の集積がない状態で使用できるようになる。
【考案を実施するための最良の形態】
【００１８】
次に実施の態様を、実施例につき図面に従い詳述する。
【実施例１】
【００１９】
図８は、ダンスシューズの底面の手入れを行うための本考案による手入れブラシＡを示す。手入れの対象とするダンスシューズＢは、図７に示しているように、底皮Ｂ’、及び踵の底皮Ｂ”を、表面側が毛羽立てられたバックスキンの状態としている通常のダンスシューズである。
【００２０】
この本考案によるダンスシューズの底面の手入れ用のブラシＡは、この例においては、一端側に把持部１０を具備する基体１と、その基体１の他端側に細径の鋼線よりなるワイヤー２を植設して構成するブラシ部１１とからなる。
【００２１】
基体１は、木材を、横巾が約２０ミリ、厚さが約１２ミリ、長さが約２００ミリ程度の、細長い平板状に板どりすることで、片手で握って操作し得る棒片状に形成してあり、その基体１の長手方向の一半となる一端側に、把持部１０を形成し、ブラシ部１１を形成する他端側には、表裏の一方の面となる面に、ワイヤー２を植設するための穴４を穿設している。
【００２２】
ワイヤー２を植設するために、基体１の他半側に穿設する穴４は、帯板状の基体１の他半側における表裏の一方の面に、内径が略２ミリで、略１０ミリの深さの穴として、略１０ミリ程度の間隔ピッチをもって、平面視において千鳥に並列し、長手方向視において３条に整列するように配置して穿設してある。この穴４は、基体１を貫通する透孔に形成する場合がある。
【００２３】
これら穴４に植設するワイヤー２は、外径が０．１〜０．２ミリ程度の細い鋼線であり、略５０ミリ程度の長さに切り揃え、それの１０数本を束ねあわせ、長手方向の中間部位を、銅線等の柔らかい金属線材により結縛して、小束の棒状にまとめ、この小束の棒状にまとめたワイヤー群を、それの長手方向の中間部位から２つ折りに折り曲げ屈曲し、倍量の本数のワイヤーの束に形成して棒状に集束し、この２つ折りに折り曲げたワイヤーの束の屈曲部２ａを、前述の基体１の他半側に整列させて穿設した穴４内に圧入嵌挿してかしめ付け、基体１に対し固着固定することで、屈曲部２ａを基端部としてこの２つ折りに折り曲げて、棒状に集束したワイヤーを、基体１に対し植設する。そして、整列させて穿設したそれぞれの穴４に、前述の如く２つ折りに折り曲げて倍量の本数のワイヤーの束を、屈曲部２ａの圧入・嵌挿により穴４内壁面にかしめ付けて固着し、ワイヤー２を基体１に対し植設していく。このそれぞれの穴４に棒状の束として植設したワイヤー群は、それらの各ワイヤーの突出長さを短く切り詰めて、横方向からの荷重に対する応力を強くしている。この例においては、穴４の開口面となる基体１の他半側の表面を基準として、その表面からの突出長さを、略１０ミリ〜１５ミリ程度に短く切り揃え、これにより、植設した各ワイヤーの先端を、ダンスシューズＢの底面に当てて、ブラシを水平に動かし、底面を摺擦し整形するときに、ワイヤーが受ける横方向の荷重に対し充分な剛性を発揮するようにしている。
【００２４】
この剛性は、突出長さを短くする程強くなるが、短くすると、靴の底面に付着した繊維屑をかき取る手入れを行うときに、ワイヤーにからみ付いてくる繊維屑を分離・除去する作業が厄介なものとなってくるので、この分離・除去が簡易に行える範囲の突出長さにする。これには前述した１０ミリ〜１５ミリ程度の突出長さが望ましい。
【００２５】
このように基体１の他端側に整列させて穿設せる穴４…のそれぞれに植設したワイヤー２は、さらに、棒状に集束された各ワイヤーの、短く切り揃えられた先端を、切断の際に生じてくるバリがなくなるように、グラインダー等の研磨機により、図９に示している如く、平らに摺り潰し、平面状に仕上げる。このとき、集束されたワイヤーのそれぞれの先端が、図１０にあるように同一の平面に揃うように研磨して摺り潰し、棒状に集束されたワイヤーの全体の先端が平らに揃うようにする。
【００２６】
さらにまた、棒状に集束して基体１の他端側の表裏の一方の面に植設したワイヤーの先端の摺り潰しは、整列する他の棒状に集束したワイヤーとの関係においても、図１２にあるように、各棒状に集束したワイヤーの先端が、略斉一に揃うように突出長さを定めて摺り潰す。
【００２７】
この例においては、棒状に集束したワイヤーを植設する基体１の表裏の一方の面が、平面に仕上げられていることで、この面から同じ突出長さに突出する各棒状に集束したワイヤーの先端が、略同一の面に沿う状態となっているが、基体１を側面視において浅く折れ曲がるアングル状の形状に形成して、ワイヤーを植設する面を、屈曲面としたとき、または、側面視において弧面に形成したときは、各棒状に集束したワイヤーの先端は、基体１の、ワイヤーを植設する面の形状に倣う面に揃うようになる。
【実施例２】
【００２８】
図１３は別の実施例を示す。この例のブラシＡは、基体１を木材により棒片状に形成し、それの一端側を把持部１０とし、他半側に穴４…を整列させて穿設し、それらの穴４に小束に束ねたワイヤー２を、２つ折りに折り曲げ、棒状に集束した状態として圧入・嵌挿して植設することでブラシ部１１に構成すること、穴４に植設するワイヤー２の突出長さを約１５ミリと短くすること、および各ワイヤーの先端をバリのない平面に研磨することについては、前述の実施例のブラシと変わりがないが、基体１を、図１３にあるように、側面視において、浅い角度で屈曲するアングル状に形成し、これにより、基体１の他端側に構成するブラシ部１１に植設のワイヤー２が、それらの先端を、側面視において屈曲する基体１の表面形状に倣う面に沿う状態としている例である。
【００２９】
この例においては、ワイヤー２の先端を側面視で同一の面に揃うようにする範囲が、ブラシ部１１の端部において局所的に存在するようになる。
【図面の簡単な説明】
【００３０】
【図１】従前のダンスシューズの底面側手入れ用ブラシの斜視図である。
【図２】同上ブラシに植設する起毛鉤及び基材の斜視図である。
【図３】ワイヤーブラシの斜視図である。
【図４】同上ワイヤーブラシの製作途上における斜視図である。
【図５】同上ブラシの、ワイヤーを穴に嵌挿する状態時の説明図である。
【図６】同上ブラシの、ワイヤーを穴内に圧入・嵌挿した状態時の説明図である。
【図７】ダンスシューズの斜視図である。
【図８】本考案によるダンスシューズの底面手入れ用のブラシの斜視図である。
【図９】同上ブラシに植設したワイヤーの拡大斜視図である。
【図１０】同上ブラシに植設したワイヤーの、一本の棒状に集束した状態の斜視図である。
【図１１】同上状態のワイヤーの側面図である。
【図１２】本考案によるダンスシューズの底面手入れ用のブラシの全体の側面図である。
【図１３】同上のブラシの別の実施例の側面図である。
【符号の説明】
【００３１】
Ａ    ブラシ
Ｂ    ダンスシューズ
Ｂ’Ｂ”  底皮
ａ    起毛鉤片
ｂ    基材
ｃ    把持杆
１    基体
１０    把持部
１１    ブラシ部
２    ワイヤー
２ａ  屈曲部
４    穴
５    結縛金具
【図１】
0003140065.tif 000003
【図２】
0003140065.tif 000004
【図３】
0003140065.tif 000005
【図４】
0003140065.tif 000006
【図５】
0003140065.tif 000007
【図６】
0003140065.tif 000008
【図７】
0003140065.tif 000009
【図８】
0003140065.tif 000010
【図９】
0003140065.tif 000011
【図１０】
0003140065.tif 000012
【図１１】
0003140065.tif 000013
【図１２】
0003140065.tif 000014
【図１３】
0003140065.tif 000015